(57)【要約】    【課題】  良好な打球感が得られるアイアン型ゴルフクラブヘッドを提供する。    【解決手段】  アイアン型ゴルフクラブヘッド１であって、ヘッド重心からフェース面に下ろした法線が該フェース面と交わる点であるスイートスポットＳＳを中心とする半径１０mmのフェース面中央領域の背面ＦＣＢに、屈曲してのびる少なくとも１本の屈曲細溝４が設けられたことを特徴とする。【選択図】  図２
2005137794.tif 000002
【特許請求の範囲】
【請求項１】
アイアン型ゴルフクラブヘッドであって、ヘッド重心からフェース面に下ろした法線が該フェース面と交わる点であるスイートスポットを中心とする半径１０mmのフェース面中央領域の背面に、屈曲してのびる少なくとも１本の屈曲細溝が設けられたことを特徴とするアイアン型ゴルフクラブヘッド。
【請求項２】
前記屈曲細溝は、溝幅が０．２５〜１．５０mm、かつ、溝深さが０．２０〜０．５０mmであることを特徴とする請求項１記載のアイアン型ゴルフクラブヘッド。
【請求項３】
前記屈曲細溝は、その両端を結ぶ基準直線から最も遠ざかる最大離間部の前記基準曲線からの離間長さが３〜１５mmであることを特徴とする請求項１又は２に記載のアイアン型ゴルフクラブヘッド。
【請求項４】
前記屈曲細溝は、前記フェース面中央領域の背面に含まれる長さが２０〜６５mmであることを特徴とする請求項１乃至３のいずれかに記載のアイアン型ゴルフクラブヘッド。
【請求項５】
前記屈曲細溝は、ソール部側からトップ部側に向かって凸又は凹となる円弧状曲線からなり、かつ、その両端を結ぶ基準直線が、トウ、ヒール方向に対して３５゜以下の略水平状であることを特徴とする請求項１乃至４のいずれかに記載のアイアン型ゴルフクラブヘッド。
【発明の詳細な説明】
【技術分野】
【０００１】
本発明は、良好な打球感を得るのに役立つアイアン型ゴルフクラブヘッドに関する。
【背景技術】
【０００２】
ゴルフクラブでボールを打球した際、ゴルファの手、腕ないし肘等にはその衝撃に伴う感触が伝わる。これは打球感と呼ばれる。一般的に打球感はクラブ毎に異なっており、特にアイアン型ゴルフクラブヘッドは打球感が強く（或いは硬く）感じられる傾向がある。従って、従来よりアイアン型ゴルフクラブヘッドの打球感をマイルドにする方法が、例えば次の特許文献により提案されている。
【０００３】
【特許文献１】特開平９−２３９０７７号公報
【特許文献２】特開２０００−２２５２１７号公報
【０００４】
特許文献１には、ヘッドのバック部に周縁部を残して凹部が設けられ、この凹部に振動吸収材が配された構成が記載されている。また特許文献２には、フェースインサートとこれを受けるヘッド本体とで構成され、ヘッド本体のフェースインサート受け部に縦横にのびる溝が形成されるとともに、ヘッド本体とフェースインサートとの間にエラストマー等の振動減衰材料を充填することが記載されている。
【発明の開示】
【発明が解決しようとする課題】
【０００５】
従来のアイアン型ゴルフクラブヘッドにおける打球感の向上は、ボールを打球するフェースで生じた振動をエラストマー等の振動減衰材料を用いて減衰させるという着想に基づいている。しかしながら、このような着想を前提としたものでは、エラストマー等の配設に際して製造工程を複雑化しやすく、かつ、コストを上昇させるという欠点がある。またエラストマー等によってヘッド重量が増えるため、ヘッドの重心設計の自由度を損ねる。即ち、ヘッド総重量には一定の制約があるため、ヘッド重量が増えるとヘッド重心位置を調節するために使える重量が小さくなる。
【０００６】
本発明は、以上のような問題点に鑑み案出なされたもので、フェース面中央領域の背面に、屈曲してのびる少なくとも１本の屈曲細溝を設けることを基本として、フェース部に相互に打ち消し合わせる振動を生じさせることにより、ヘッド全体の振動を低減させ、ひいては打球感を向上しうるアイアン型ゴルフクラブヘッドを提供することを目的としている。
【課題を解決するための手段】
【０００７】
本発明のうち請求項１記載の発明は、アイアン型ゴルフクラブヘッドであって、ヘッド重心からフェース面に下ろした法線が該フェース面と交わる点であるスイートスポットを中心とする半径１０mmのフェース面中央領域の背面に、屈曲してのびる少なくとも１本の屈曲細溝が設けられたことを特徴とするアイアン型ゴルフクラブヘッドである。
【０００８】
また請求項２記載の発明は、前記屈曲細溝は、溝幅が０．２５〜１．５０mm、かつ、溝深さが０．２０〜０．５０mmであることを特徴とする請求項１記載のアイアン型ゴルフクラブヘッドである。
【０００９】
また請求項３記載の発明は、前記屈曲細溝は、その両端を結ぶ基準直線から最も遠ざかる最大離間部の前記基準曲線からの離間長さが３〜１５mmであることを特徴とする請求項１又は２に記載のアイアン型ゴルフクラブヘッドである。
【００１０】
また請求項４記載の発明は、前記屈曲細溝は、前記フェース面中央領域の背面に含まれる長さが２０〜６５mmであることを特徴とする請求項１乃至３のいずれかに記載のアイアン型ゴルフクラブヘッドである。
【００１１】
また請求項５記載の発明は、前記屈曲細溝は、ソール部側からトップ部側に向かって凸又は凹となる円弧状曲線からなり、かつ、その両端を結ぶ基準直線が、トウ、ヒール方向に対して３５゜以下の略水平状であることを特徴とする請求項１乃至４のいずれかに記載のアイアン型ゴルフクラブヘッドである。
【発明の効果】
【００１２】
フェース面でボールを打球すると、フェース部は弾性変形により撓む。この変形によりヘッドに蓄えられた弾性ひずみエネルギは、ヘッドを振動させる（運動エネルギに変換されて消費される。）。打球感をマイルドるするためには、この振動をできるだけ速く減衰させることが有効である。ヘッドの振動の中で最も大きく振動するのは、フェース部、とりわけ打球部の近傍である。本発明では、打球部の近傍とみなしうるフェース面中央領域の背面に、屈曲してのびる少なくとも１本の屈曲細溝が設けられる。この屈曲細溝は、フェース部の一方側と他方側とで振動周期をずらせる働きをする。この相互作用により振動が互いに打ち消し合い、ひいてはヘッドの振動減衰を早める。
【発明を実施するための最良の形態】
【００１３】
以下、本発明の実施の一形態を図面に基づき説明する。
図１は本発明の一実施形態としてアイアン型ゴルフクラブヘッドの基準状態の正面図、図２はその背面図、図３は図１のＡ−Ａ拡大端面図、図４はその分解斜視図をそれぞれ示す。本実施形態のアイアン型ゴルフクラブヘッド（以下、単に「ヘッド」ということがある。）１は、ボールを打撃するフェース面Ｆの少なくとも一部（この例では主要部）を構成する板状のフェース部材２と、該フェース部材２を前面に配するヘッド本体部３とから構成されたものが例示される。
【００１４】
前記基準状態とは、ヘッド１を、当該ヘッドに定められた規定のライ角αとロフト角β（リアルロフト角）に設定して水平面ＨＰに接地させた状態とする。またライ角αは、後述するシャフト取付部３ｅのシャフト差込孔３ｅｈの軸中心線ＣＬを基準に傾ける。
【００１５】
ヘッド本体部３は、例えば図４のように、ヘッド上部を斜めにのびるトップ部枠３ａと、ヘッド下部をなすソール部枠３ｂと、ヘッドの先端側でこれらの間を継ぐトウ部枠３ｃと、ヘッドのヒール側でトップ部材３ａとソール部枠３ｂとを継ぐネック部３ｄと、このネック部３ｄから上方にのび図示しないシャフトが差し込まれるシャフト取付部３ｅとを含んで構成されている。またヘッド本体部３は、本例ではトップ部枠３ａ、トウ部枠３ｃ、ソール部枠３ｂ及びネック部３ｄで囲まれ、かつ前後に貫通した開口部Ｏが形成される。ヘッド本体部３は、特に限定はされないが、例えばＳＵＳ６３０、ＳＵＳ２５５、ＳＵＳ４５０といったステンレス鋼ないしは比較的比重が大きい金属材料で構成されるのが望ましい。
【００１６】
また前記開口部Ｏの周縁には、断面がステップ状をなすフェース部材取付部１０が形成される。該フェース部材取付部１０は、例えばフェース部材２の外周面ｅに向き合いかつこの外周面ｅと嵌着される内向き面１０ａと、この内向き面１０ａの後端側でヘッド中心側に立上がる壁状をなし前記フェース部材２の背面２Ｂの周縁部分を支持する環状の支え面１０ｂとが含まれている。内向き面１０ａは、前記フェース部材２の外周面ｅと実質的に同じ輪郭形状をなし、かつ、該外周面ｅの厚さと実質的に同じ奥行き寸法とを持っている。
【００１７】
またヘッド本体部３のソール部枠３ｂには、背壁部１１が設けられる。該背壁部１１は、図３に示されるように、フェース部材２の背面２Ｂから離間した位置で小高さで立ち上がっている。このような背壁部１１は、フェース部材２の背面との間でポケット状のキャビティＣを形成するとともに、ヘッド後方により多くの重量を配分することにより、ヘッド１の重心をより深く設定するのに役立つ。
【００１８】
前記フェース部材２は、フェース面Ｆ側の実質的に平坦な表面２Ａと、その反対側の面である背面２Ｂと、これらの間をのびる環状の外周面ｅとを有する板状である。ただし、前記表面２Ａには、基準状態で水平にのびるフェースライン１２が設けられる場合がある。フェース部材２の外周面ｅは、前記フェース部材取付部１０の内向き面１０ａに、また背面２Ｂの周縁部分は同支え面１０ｂにそれぞれ支持され、例えばカシメ、接着、その他の固着手段により一体に固着される。これにより、ヘッド１は、フェース部材２の表面２Ａと、ヘッド本体部３の前面とで連続したフェース面Ｆを区画するフェース部ＦＰを形成する。
【００１９】
図５には本実施形態のフェース部材２の背面２Ｂ側からみた斜視図が示されている。該背面２Ｂは、外周面ｅからほぼ等距離を隔てた位置で環状で連続してのびる凹部５が設けられてる。これにより、フェース部材２は、該凹部５によって囲まれかつ厚さｔ１の中央厚肉部６と、前記凹部５の外側をなす厚さｔ２の周縁厚肉部７とが設けられる。凹部５が設けられた部分の厚さｔ３は、前記各厚さｔ１及びｔ２のいずれよりも小さい。
【００２０】
中央厚肉部６は、スイートスポットＳＳを含んだ横長の略楕円形状で形成される。従って、その表面側は頻繁にボールを打撃する部分となる。スイートスポットＳＳは、図３に示されるように、ヘッド重心Ｇからフェース面Ｆに下ろした法線Ｎが該フェース面Ｆと交わる点である。また中央厚肉部の厚さｔ１は、特に限定はされないが、好ましくは２．５mm以上、より好ましくは２．７mm以上が望ましく、同上限については前記下限のいずれかとの組み合わせにおいて３．５mm以下、より好ましくは３．２mm以下が望ましい。厚さｔ１が２．５mm未満の場合、耐久性を低下させる傾向があり、逆に３．５mmを超える場合、フェース部材２の全体的な剛性が高められて反発性能が悪化する傾向がある。
【００２１】
また前記周縁厚肉部７の厚さｔ２は、この中央厚肉部６の厚さｔ１と同等ないし０．２mm程度小とするのが望ましい。この周縁厚肉部７は、図３に示されるように、前記フェース部材取付部１０に支持されるため、厚さｔ２が小さすぎても取付強度不足を招き、逆に大きすぎてもヘッドの反発性能を低下させる傾向がある。
【００２２】
さらに凹部５での厚さｔ３は、特に限定はされるわけではないが、好ましくは１．６mm以上、より好ましくは１．７mm以上とするのが望ましく、同上限については前記下限のいずれかとの組み合わせにおいて２．３mm以下、より好ましくは２．０mm以下が望ましい。厚さｔ３が小さすぎるとフェース部材２の耐久性を悪化させる傾向があり、逆に大きすぎると、ヘッドの反発性を高めるのが困難になる。
【００２３】
フェース部材２は、例えばチタン合金（Ｔｉ−６Ａｌ−４Ｖ）により形成されるのが望ましい。チタン合金は、ヘッド本体部３を構成しているステンレス鋼などに比して比重が小さい。このためヘッドの重量をフェース部材２の周辺により多く配分することができ、スイートエリアを増大するのに役立つ。ただし、フェース部材２には、チタン合金以外の他の材料、例えばＳＵＳ４５０（マレージング銅）等を使用しても良いのは言うまでもない。
【００２４】
本発明のヘッド１は、スイートスポットＳＳを中心とする半径１０mmの領域であるフェース面中央領域ＦＣの背面ＦＣＢに、屈曲してのびる少なくとも１本の屈曲細溝４が設けられる。ここで、フェース面中央領域の背面ＦＣＢとは、このフェース面中央領域ＦＣをフェース面Ｆから垂直にフェース部ＦＰの背面に投影した領域を意味する。本実施形態では、このフェース面中央領域の背面ＦＣＢは、前記中央厚肉部６をより多く含んだ領域となっている。
【００２５】
ヘッド１は、フェース面ＦのスイートスポットＳＳでより多くボールと衝突する。これにより、フェース面中央領域ＦＣは弾性変形により最も大きく撓み、かつ、大きく振動する。かかる振動は、それが大きいほどゴルファの手、腕ないし肘に負荷として作用し、ゴルファに好ましくない打球感を印象づける。打球感をよりマイルドとするためには、このフェース面中央領域ＦＣの振動をできるだけ素早く減衰させることが重要である。
【００２６】
発明者らは種々の実験を行った結果、このフェース面中央領域の背面ＦＣＢに、屈曲してのびる少なくとも１本の屈曲細溝４を設けるという簡単な構成により、前記フェース面中央領域ＦＣの大きな振動を比較的早期に減衰させることを種々の実験の結果により見出した。即ち、図６にフェース部材２の背面図を示すように、フェース面中央領域の背面ＦＣＢを横切る屈曲細溝４を設けた場合、打球直後に生じる屈曲細溝４の上側位置での振動波形と下側位置での振動波形とは、それぞれ周波数と振幅が異なっており、好ましい態様として１／２周期のずれによる位相の逆転が生じることが分かった。
【００２７】
振動の波は重ね合わせの原理が働く。即ち、図７（Ａ）に示すように、位相が同じである２つの波ＡないしＢが重ね合わせると、互いに強め合って大きな振幅を持つ波Ｃが得られるが、逆に位相が異なる波ＡないしＢを重ね合わせると、エネルギーを互いに打ち消し合う結果、これらを重ね合わせた波Ｃは振幅が小さい波Ｃとなる。このため、位相が異なる図６の波Ａ及び波Ｂは、互いに打ち消し合う結果、これらを重ね合わせた波Ｃは振幅が小さく振動エネルギーの急速な減衰が生じる。これにより、フェース面中央領域ＦＣの振動が速やかに吸収緩和され、ゴルファの手に作用する打球感を良好なものとすることができる。
【００２８】
一方、図８に示すように、フェース面中央領域の背面ＦＣＢに、１本の直線細溝を設けると、打球直後に生じるその上側位置での振動波形と下側位置での振動波形とは、それぞれ実質的に周波数と振幅とが揃ってしまい、これらを重ね合わせた波Ｃは、互いに強め合って大きな波Ｃが生じることが判明している。
【００２９】
フェース面中央領域の背面ＦＣＢに設けられた細溝４によって、その上、下の領域で振動周波数、振幅が異なる理由については、今後さらなる解析が必要であるが、概ね、次の理由によるものと説明できる。先ず、アイアン型ゴルフクラブヘッドでは、スイートスポットＳＳが低く、かつ、地面に置かれたボールを打つことが多いため、フェース面中央領域の中でもとりわけ下方側で比較的大きな振動が生じる。また図６のように屈曲細溝４を設けた場合、強く振動を生じる屈曲細溝４よりも下側は、細溝４からのフェース部材２の下縁までの上下方向のスパンＹ１、Ｙ２、Ｙ３が、トウ−ヒール方向で一様ではなく変化していることが挙げられる。従って、フェースの細溝４よりも上側と下側との振動モードが異なり、これが、上側位置で生じる振動の波Ａと、下側位置で生じる振動の波Ｂとの位相差（波長のずれ）が生じる原因と推察される。そしてこれらの波が重なってヘッド全体の振動特性が決定される。
【００３０】
また図８に示した水平な直線細溝の場合、前記直線細溝とフェース部材２の下縁との間の上下方向のスパンは、トウ、ヒール方向で実質的に一様である。このため、上側位置で観測される波Ａと下側位置で観測される波Ｂとは、波長のずれがなく同じ位相で現れる。なお、このように考えると、直線細溝でも水平ではなく傾斜させれば屈曲細溝と同等の効果がもたらされるのではないかとの推測が成り立つ。しかしながら、この場合にも前記スパンの変化がトウ、ヒール方向に増加ないし減少といった単調な変化となるため、波の位相のずれは非常に小さく、振動減衰効果は十分に得られない。
【００３１】
このような観点より、屈曲細溝４は、ソール部枠３ｂ側からトップ部枠３ａ側に向かって凸又は凹となる円弧状曲線が特に好ましいものとなる。また屈曲細溝４は、フェース面中央領域の背面ＦＣＢにその一部が含まれておれば上述の効果を発揮することができる。従って、図９に拡大して示す本実施形態のように、屈曲細溝４の両端４ａないし４ｂがフェース面中央領域の背面ＦＣＢからはみ出す態様でも勿論構わないし、前記両端４ａ、４ｂの一つ又は両方がフェース面中央領域の背面ＦＣＢに含まれるものでも良い。
【００３２】
また屈曲細溝４は、溝幅が０．２５〜１．５０mm、かつ溝深さが０．２０〜０．５０mmで形成されるのが好ましい。屈曲細溝４の溝幅が０．２５mm未満又は溝深さが０．２０mm未満であると、ボールを打撃したときのフェース部の振動モードに影響を与える効果が小さくなり、逆に溝幅が１．５０mmよりも大又は溝深さが０．５０mmよりも大になると、打球時に屈曲細溝４に応力集中が生じやすくフェース部ＦＰの耐久性を悪化させる傾向がある。特に好ましくは溝幅の下限は０．３５mm以上、同上限は１．０mm以下、さらに好ましくは０．７５mm以下、特に好ましくは０．６５mm以下である。また、溝深さの下限については、より好ましくは０．２５mm以上、同上限はより好ましくは０．４mm以下、特に好ましくは０．３５mm以下が望ましい。溝幅ないし溝深さは、全溝長さに亘って一定でも良いし、また適宜変化することもできる。図示はしていないが、屈曲細溝４の溝断面形状は、半円状のものが応力集中を避ける上で好ましいが、矩形の角溝状や三角溝状など種々の形状も採用しうるのは言うまでもない。
【００３３】
また屈曲細溝４は、その両端４ａ、４ｂを結ぶ基準直線ＢＬから最も遠ざかる最大離間部４Ｔの前記基準曲線ＢＬからの離間長さＴが３〜１５mmであることが望ましい。この離間長さＴは、屈曲細溝４の屈曲度合いの目安となるものであって、該離間長さＴが３mm未満になると溝形状が直線に近づき、上述の振動減衰効果が十分に発揮できない傾向があり、逆に１５mmをよりも大きくなると、例えば単一の円弧の場合、フェース面中央領域の背面ＦＣＢに位置させるのが困難となり、細溝４が振動に影響を与える範囲が小さくなる傾向がある。特に好ましくは前記離間長さＴは４mm以上、さらに好ましくは５mm以上であって、上限は前記下限値のいずれかとの組み合わせにおいて１２mm以下、さらには１０mm以下が望ましい。
【００３４】
本実施形態の屈曲細溝４は、前記両端４ａ、４ｂを結んだ基準直線ＢＬが、トウ、ヒール方向に対して３５゜以下、より好ましくは２０゜以下の角度θをなす略水平状のものが振動吸収効果を高める上で効果的である。なおトウ、ヒール方向は、前記基準状態における水平線を意味している。
【００３５】
また図１０には、屈曲細溝４とフェース面中央領域の背面ＦＣＢとの相対関係の例を示す。（Ａ）〜（Ｃ）では、スイートスポットＳＳを通る垂直線に対して屈曲細溝４が左右対称に形成された例を示す。またこれらの例では、屈曲細溝４はいずれも単一の曲率半径Ｒからなる円弧曲線に沿って形成されている。このような円弧曲線で屈曲細溝４を形成する場合には、その曲率半径Ｒは１インチ以上かつ５インチ以下（２５．４mm以上かつ１２７mm以下）が望ましい。これは、前記最大離間部４Ｔの離間長さＴの規定と同様の理由に基づいている。
【００３６】
また図１０（Ａ）のものは屈曲細溝４の最大離間部４ＴがスイートスポットＳＳに一致している。同（Ｂ）のものは、最大離間部４ＴがスイートスポットＳＳよりも高所に位置し、同（Ｃ）のものは、最大離間部４ＴがスイートスポットＳＳよりも低所に設けられている。いすれも態様でも好ましい結果が得られる。また図１０（Ｄ）ないし（Ｅ）は、最大離間部４ＴがスイートスポットＳＳよりもヒール側及びトウ側にそれぞれ位置ずれした態様が示されている。特に好ましい態様としては、スイートスポットＳＳと最大離間部４Ｔとの間の距離が７．５mm以下であるのが良い。即ち、フェース部はスイートスポットＳＳにおいて最も変形し易い（撓み易い）ため、良く振動する最大離間部４Ｔをこのスイートスポットに近づけることにより、振動を効果的に減衰させることができる。さらに好ましくは、スイートスポットＳＳと最大離間部４Ｔとの間の距離は６．０mm以下、さらに好ましくは５．０mm以下、より好ましくは３．０mm以下が望ましい。
【００３７】
図１１には、屈曲細溝４の具体的な形状の例を示す。（Ａ）は、図１０でも示したように単一の曲率半径からなる円弧をなすもの、（Ｂ）は小さい曲率半径Ｒ１からなる第１の円弧４Ａ、４Ａと、それよりも大きい第２の曲率半径Ｒ２からなる第２の円弧４Ｂとを組み合わせた例を示す。組み合わせる位置や曲率半径の大きさ、円弧の種類数は例示のものに限定されない。また（Ｃ）のように、一部に直線を含むことは差し支えない。また同図（Ｄ）は、トップ部枠３ａ側からソール部枠３ｂ側に凸となる円弧曲線を描くもの、さらに同図（Ｅ）は１周期の正弦波状をなすもの、同図（Ｆ）は正弦波を複数周期で繰り返すものが示されており、いずれでも良い。
【００３８】
また屈曲細溝４は、フェース面中央領域の背面ＦＣＢに含まれる長さＬが２０〜６５mmであることが望ましい。前記長さＬが２０mmよりも小さくなると、該屈曲細溝４によって振動を減衰させる領域が小さくなり、打球感の向上効果が十分に得られ難い傾向がある。逆に前記長さＬが６５mmよりも大きくなると、前記フェース面中央領域の背面ＦＣＢに含ませるのはいびつな形状となりやすく、外観を著しく悪化させる傾向がある。特に好ましくは、前記長さＬを２５mm以上、より好ましくは３０mm以上とするのが望ましく、上限については前記下限のいずれかとの組み合わせにおいて６０mm以下、より好ましくは５５mm以下とするのが望ましい。なお前記長さＬは、前記屈曲細溝４に沿ったいわゆるパス長さとする。
【００３９】
また本実施形態の屈曲細溝４は、ソール部枠３ｂ側からトップ部枠３ａ側に向かって凸となる好ましい態様が示されているが、これとは逆にソール部枠３ｂ側からトップ部枠３ａ側に向かって凹となる円弧状曲線をその上側に加えるこのもできる。即ち図１２に示すように、フェース面中央領域の背面ＦＣＢに、２以上の屈曲細溝４を設けることもできる。この実施形態では、上側をのびる上の屈曲細溝４Ｕと、その下側ののびている下の屈曲細溝４Ｄとを含んでいる。
【００４０】
上記の実施形態のアイアン型ゴルフクラブヘッドは、フェース部材２と、これとは異なる材料からなるヘッド本体部３とで構成されたものが例示したが、勿論一体構造のヘッドでも本発明は適用できる。特に好適なのは、図３に示すように、リーディングエッジＬｅ（前記基準状態において最も前方に突出した部分）からキャビティＣの底部までをフェース面Ｆに沿って図った長さＺが１０mm以下のものである。このようなヘッドは、フェースの自由撓み領域（キャビティＣに面する部分）が大きいためフェースが特に振動し易いことから、本発明の効果がより顕著となる。またＺ＞１０mmであると、ヘッドの反発性能が悪化し易い。またキャビティタイプ以外では、例えば中空タイプのアイアン型ゴルフクラブヘッドにも適用しうる。
【実施例】
【００４１】
打球感に関するテストが、図１３及び表１の仕様に基づくアイアン型ゴルフクラブヘッド（＃５）について行われた。各ヘッドは、屈曲細溝については図１３の仕様であり、それ以外についてはいずれも図１〜３に示す同一の基本構造とした。具体的には、フェース部材はＴｉ−６Ａｌー４Ｖ、ヘッド本体部はＳＵＳ６３０のロストワックス精密鋳造品とし、これらを圧入しかつかしめることにより一体に固着した。フェース面中央領域の背面に形成される各屈曲細溝ないし細溝は、ＮＣ加工によっていずれも幅０．５０mm、深さ０．３０mmで凹設された。製造はきわめて容易に行えた。また実施例の屈曲細溝については、いずれも単一の曲率半径からなる円弧曲線からなる。比較例２は、屈曲細溝を一切具えていない。
テストの要領は次の通りである。
【００４２】
＜打球時の衝撃力＞
図１４に示すように、各供試ヘッドのネック部とソール部とに、衝撃力センサーＳ１、Ｓ２を取り付けるとともに、自由支持した該ヘッドのスイートスポットに３４．５m ／s のスピードで発射したボールを衝突させ、そのときの最大衝撃力（ｋｇｆ）を計測した。数値が小さいほど、打球時の振動が吸収されていることを示す。なおゴルフボールには固有振動数が９００Hzのものを使用した。
【００４３】
＜打球フィーリング＞
各供試ヘッドの同一のカーボンシャフトを装着するとともに、ハンディキャップ１５〜２５のゴルファで各供試クラブを用いて天然芝上のボールをそれぞれ２０球づつ打撃させ、打球時の感触を各ゴルファのフィーリングにより５点法で評価した。結果は、全ゴルファの平均点で評価を行った。数値が大きいほど良好である。テストの結果を表１に示す。
【００４４】
【表１】
2005137794.tif 000003
【００４５】
テストの結果、実施例のヘッドは、衝撃力を有意に吸収していることが定量的に確認できる。また実際のゴルファによりフィーリングテストにおいても顕著な打球感の向上が窺える。
【図面の簡単な説明】
【００４６】
【図１】本発明の一実施形態を示すアイアン型ゴルフクラブヘッドの正面図である。
【図２】その背面図である。
【図３】図１のＡ−Ａ断面図である。
【図４】ヘッドの分解斜視図である。
【図５】フェース部材の背面側から見た斜視図である。
【図６】本発明に係るフェースの位置ＡないしＢの振動の波を例示する線図である。
【図７】（Ａ）及び（Ｂ）は波の重ね合わせの原理を説明する線図である。
【図８】比較例に係るフェースの位置ＡないしＢの振動の波を例示する線図である。
【図９】フェース部材の拡大背面図である。
【図１０】（Ａ）〜（Ｅ）は屈曲細溝の実施形態を示す略図である。
【図１１】（Ａ）〜（Ｆ）は屈曲細溝の溝形状の具体例を示す略図である。
【図１２】フェース部材の背面図である。
【図１３】（Ａ）〜（Ｅ）は実施例、比較例のフェース部材の背面図である。
【図１４】打球時の衝撃力を測定するテスト方法を例示する略図である。
【符号の説明】
【００４７】
１  アイアン型ゴルフクラブヘッド
２  フェース部材
３  ヘッド本体部
４  屈曲細溝
４ａ、４ｂ  屈曲細溝の両端
４Ｔ  屈曲細溝の最大離間部
ＢＬ  屈曲細溝の基準曲線
【図１】
2005137794.tif 000004
【図２】
2005137794.tif 000005
【図３】
2005137794.tif 000006
【図４】
2005137794.tif 000007
【図５】
2005137794.tif 000008
【図６】
2005137794.tif 000009
【図７】
2005137794.tif 000010
【図８】
2005137794.tif 000011
【図９】
2005137794.tif 000012
【図１０】
2005137794.tif 000013
【図１１】
2005137794.tif 000014
【図１２】
2005137794.tif 000015
【図１３】
2005137794.tif 000016
【図１４】
2005137794.tif 000017